【事件の表示】
　平成　４年特許願第１５７３１０号「ディスク状記録媒体の回転駆動装置」拒絶査定に対する審判事件［平成　５年１２月１０日出願公開、特開平　５−３２５３６５］について、次のとおり審決する。
【結　論】
　本件審判の請求は、成り立たない。
【理　由】
［１］手続の経緯、本願発明
　本願は、平成４年５月２６日の出願であって、その請求項１に係る発明は、平成１２年１０月１０日付け、平成１３年６月７日及び平成１３年９月１０日付けの手続補正書で補正された明細書及び図面からみて、その特許請求の範囲の請求項１に記載された次のとおりのものである（以下、「本願発明」という）。
「【請求項１】　ディスクカートリッジの一方の面に形成された開口部より挿入され、上記ディスクカートリッジに収納され、基板の一方の面のチャッキング孔の周囲に円環状の突部が形成されているとともに他方の面の上記チャッキング孔の周囲に凹部が形成され、上記凹部内に上記チャッキング孔を閉塞するように設けられた金属部材とを有するディスク状記録媒体の上記突部が載置される載置部を有し、モータの回転軸に取り付けられるテーブル部材と、
　上記テーブル部材の上記載置部の内側に配設され、上記回転軸に取り付けられるセンタリング部材と、
　磁性粉体が混練された合成樹脂材料を用いて形成され、上記センタリング部材の内側に配設されるとともに、上記回転軸に上記ディスク状記録媒体の上記突部の面から上記金属部材までの距離より短い距離だけ上記テーブル部材の上面よりも突出するように取り付けられて上記金属部材を吸引するマグネットとを備え、
　上記センタリング部材の外周壁部と上記マグネットの外周壁部とが略々連続した円錐面状に形成されているディスク状記録媒体の回転駆動装置。」
　
［２］原審の拒絶査定の概要
　原審の平成１３年７月４日付けの拒絶査定の概要は、「この出願は、平成１３年３月２９日付けの拒絶理由通知書に記載の理由によって、拒絶すべきものと認める。」というものであり、平成１３年３月２９日付けの拒絶理由は、特許法第２９条第２項に規定により特許を受けることができないとして、下記の引用文献ａ〜ｃが示された。
　引用文献ｃについては、「文献ｃの表記の「特開」は、正しくは「実開」であることを、出願人は了承した。」旨の平成１３年５月９日付けの応対記録があり、平成１３年６月７日付けの意見書の（１）においては、「実開昭５９−５００９１号公報（以下、文献ｃという。）を引用され、」と記載し、同意見書の（３）の「更に、引用文献ｃには、モータの先端側に回転軸に取り付けられたマグネット取りつけ板(34)の磁石(36)とディスク押さえ(8)に取り付けられた磁石(83)との間に働く磁気的吸引力によってディスクを圧接面(82)とターンテーブルシート(32)との間で挟持する状態としてディスクをチャッキングするディスクプレーヤが開示されている。」と記載し、実願昭５７−１４４４３６号のマイクロフィルムの内容を実質的に検討していることから、文献ｃの特開昭５９−０５００９１号公報の表記を下記のとおり訂正する。
　
ａ．鶴島　克明，ラジオ技術，Ｖｏｌ．４５，Ｎｏ．１２，　　ｐ．１５２〜１５５，平成３年１２月，ラジオ技術社　　（以下、
刊行物２
ｂ．“３　ミニディスク，光磁気記録とデータ圧縮技術で実現する”，
　　日経エレクトロニクス，Ｎｏ．５４２，ｐ．１６０〜１６９，
　　平成３年１２月，日経ＢＰ社　　（以下、
刊行物３
ｃ．実願昭５７−１４４４３６号（実開昭５９−５００９１号）のマイクロフィルム　　（以下、
刊行物１
　
［３］刊行物に記載された事項
刊行物１
「〔産業上の利用分野〕
　本考案は円盤状ディスクを回転自在に支持するターンテーブル側をディスクの半径方向に移動させることにより固定配設された光学系ピックアップ部とのディスク半径方向の相対位置を変えてリニアトラッキングするようにしたディスク可動型プレーヤに関するものであり、特に円盤状ディスクをターンテーブルにチャッキングするディスク押さえのホルダー機構に関するものである。」（第１頁第１６行〜第２頁第４行）
「すなわち、第１図中１はプレーヤの装置本体であり、該本体上側１Ａにはディスク挿入凹部２が設けられ、この凹部２内にはターンテーブル３と光学系ピックアップ４が配設されており、このターンテーブル３は本体１内に配設された図示しないスピンドルモータにより回転されるとともに、」（第２頁第８行〜第１３行）
「なお、ここで上記ディスク押さえ８と前記ターンテーブル３によるディスク５のチャッキング機構を第２図を参照しながら説明しておく。
　すなわち、ディスク押さえ８は、同図中円筒部８Bの下端に押さえ板８Aを有するとともに上端には係止円盤部８Cが一体形成されている。そして上記押さえ板８Aの下面中央部は凹部８１が形成され、この凹部８１の外周には軸方向に突出されたディスク圧接面８２が設けられている。さらに、上記凹部８１の底部にはマグネット８３が固定配設されている。なお、上記円筒部８Bの外径寸法は前記長穴１１を挿通し得る軸径をなすとともに、係止用円盤部８Cは前記長穴１１の穴幅よりも長径でホルダーカバー１０に十分係止し得る寸法となっている。一方、ターンテーブル３は、図示の例の場合、中央部分を回転出力軸３１に軸止され、外周部上面に環状のターンテーブルシート３２が敷設され、また上面中央部には凹部３３が設けられるとともに、上記出力軸３１のターンテーブル上方への突出部にはセンタースピンドル３Aを構成するマグネット取付板３４とディスク芯出し板３５が設けられている。すなわち、マグネット取付板３４は上記出力軸３１の軸端に止着配設され、前記押さえ板８のマグネット８３と対峙するマグネット３６が取り付けられている。また、上記ディスク芯出し板３５は外周にディスク５のセンター穴５Aに嵌合するテーパ部３５Aを有し、上記ターンテーブル３と上記マグネット取付板３４間に図中上下動自在となるように前記出力軸３１に遊嵌され、さらにターンテーブル３との間にスプリング３７が介在されている。なお、前記各マグネット８３と３６は対峙面が異極性となるように相対配設され吸引し得るようになっている。そして、このチャッキング機構により、ディスク５は先ずセンター穴５Aをターンテーブル３のスピンドル部３Aに適合させるとマグネット取付板３４及び芯出し板３５の外周テーパ部３５Aとの相対嵌合により芯出しされた状態に芯出し板３５上に載置される。そこで、前記ディスク蓋７を閉じると上記ディスク押さえ８がディスク５の上方よりセンタースピンドル部３Aに適合されるように押し付けられると、前記マグネット８３と３６がディスク５の上下面より対峙して吸引し合い、ディスク押さえ８のディスク圧接面８２がディスク５の上面側より圧接し、すると芯出し板３５はスプリング３７の弾発力に抗して押し下げられ、ディスク５の下面がターンテーブル３のターンテーブルシート３２に圧接され上記圧接面８２と該シート３２間に挟持された状態となり、チャッキングされるようになっている。」（第８頁第６行〜第１０頁第１５行）
　
刊行物２
「２．ダメージ・プルーフは、反面、ハンドリングの容易さ、取扱い易さを意味する。つまりきわめてスマートな、カートリッジを使用しているということで、コンパクト・カセットの良かった点に通じる。
　従来のカセットでは、テープ・メディアであったための、損傷を受け易い面があった。MDでは、機械的に強いディスクを組み合わせている。
　カセット・サイズは64ｍｍというディスク外径から決まっており、このディスク径はなるべく小さく、しかし、光ピックアップなど他のキー・コンポーネンツが、造り易さの寸法限界をこえない範囲で、しかもCDとおなじ演奏時間を、最適な信号圧縮率の下で到達できるよう決定された。再生専用MDカートリッジの表の面は、十分な印刷レーベル・エリアが取れるように平面となっている（カット写真参照）。
　このため、従来のCDのクランピング方式のように、上からディスクを押さえ、ターンテーブルとの間に挟み込むことができないので、マグネットの吸着力による方式とした。しかしディスクのセンタリングは、第４図のように基盤自体のセンタ・ホールで行っている。チャッキング・スラスト受けの則り代を取るため、ディスク中心部の形状をCDから大きく変えて、センタ・ホールの奥行を稼いでいる。　
　センタ・ホールは基盤成形時に、金型で同時成形されるため、偏芯に対する精度は極めて良い。このことはCDやMDのシステム全体の要求機械精度を、なんらコストをかけずに実現している、大きな要素の一つである。
　録音用、再生用の両ディスクとも、大切な光学、磁気表面は、通常の状態で容易に手がふれられないように、シャッタで覆われている。ダメージ・プルーフは扱い易いカートリッジの条件の一つである。」（第１５３頁第３欄〜第１５４５頁第１欄下から第６行）
　第１５２頁の上部には、カートリッジの写真が示されている。
　図４，７には、ＭＤディスクの断面形状が図示されている。
　図５には、スピンドルモータの上面にカートリッジとミニディスクが図示されている。
　
刊行物３
「音楽ソフト用と録音用の２種類に対応
　ミニディスクには、音楽ソフト用の再生用光ディスクとユーザが録音できる光磁気ディスクがある（図２）。２種類の光ディスクを再生するための光学系は図３のようになる。ＣＤの光ピックアップに、偏光ビーム・スプリッタと受光素子を追加した。録音時には記録用磁気ヘッドも使用する。
　再生専用ディスクは、CDと同様の製造工程で作成する。ピットを刻んだスタンパを用い、射出成形機で大量生産ができる。カートリッジの下面にだけレーザ光読み取り用シャッタ窓を付けた。カートリッジの上面に演奏家の写真などを全面に張れるようにした。
　録音用ディスクには光磁気ディスクを使用する。磁界変調方式でオーバライトする。光磁気ディスクの書き換え可能回数は１００万回以上。データ寿命はCD並である。１９８９年の全日本オーディオ・フェアなどで展示した書き換え可能CDの技術を生かした（pp.165-168参照）。
　光磁気ディスクに録音する場合、ディスクの下面からレーザ光を照射し、ディスクの上面から磁界を印加する。録音用ミニディスクのカートリッジには、上面と下面にシャッタ窓が付いている。
　基板のエッジで芯出し
　カートリッジに収納したディスク基板の断面は図４のような形状になっている。ポリカーボネート基板の中央に磁性板を付ける。再生専用ディスクと録音用ディスクで特に違いはない。
　光ディスクは、駆動装置に装着するときに芯出しが必要になる。CDと同じようにポリカーボネート基板の内周エッジを基準にして中心を合わせる。データ用の3.5インチ光磁気ディスクでは金属ハブをディスクの中央に精度よく取り付けている。今回、この方法の採用は見合わせた。製造コストが高くなるからである。
　ディスク基板の中央に付けた磁性板で装置側の磁石に吸着させて固定する。CDのように上下から挟みつけて固定すると、カートリッジの上面中央に穴を開けなければならなくなる。音楽ソフトのレーベルを印刷するスペースがなくなることを避けた。
　ディスク基板の内周エッジを基準にするために、内周を1.8ｍｍと厚くした。ディスク面の厚さは1.2ｍｍ。CDと同じである。」（第１６０頁第３欄第１２行〜第１６２頁第１欄第７行）
　図１には、スピンドルモータの上側にカートリッジとミニディスクが図示されている。
　図２（ａ）（ｂ）には、ミニディスクとカートリッジが示されている。
　
［３］刊行物１の発明
　上記摘記した事項から、刊行物１には、光ディスクのプレーヤのチャッキング機構に関して、以下の発明が記載されていると認められる（以下、刊行物１の発明という。）
「ディスク押さえと、
　ディスクの内周縁が載置される環状のターンテーブルシートを敷設された外周部上面を有し、モータの回転出力軸に軸支されるターンテーブルと、
　ターンテーブルの外周部上面の内側に設けられ、上下動自在に回転出力軸に遊嵌されるディスク芯出し板と、
　ディスク芯出し板とでセンタースピンドル部を構成するマグネット取付板が回転出力軸の軸端に取り付けられ、このマグネット取付板のモータ側に取り付けられてディスク押さえのマグネットと吸引しあうマグネットを備え、
　ディスクのセンター穴をセンタースピンドル部に適合させ、マグネット取付板及びディスク芯出し板の外周テーパ部との相対嵌合によりディスクを芯出し状態にするチャッキング機構を有する光ディスクプレーヤ。」
　
［４］本願発明と刊行物１の発明との対比
　本願発明と刊行物１の発明を対比すると、両者はディスク上の情報を光ピックアップで再生する光ディスクプレーヤのディスクを位置決めに関する発明で共通し、
　刊行物１の発明の「ディスク芯出し板」「ターンテーブル」「センター穴」は、
　本願発明の「センタリング部材」「テーブル部材」「チャッキング孔」に相当し、
　刊行物１の発明の「ターンテーブル」の「外周部上面」は、ターンテーブルシート上にディスクを載置部を構成するターンテーブル外周部上に形成された面であり、本願発明の「テーブル部材」の「載置部」に相当し、刊行物１の「ディスク芯出し板」は、「ターンテーブル」の「外周部上面」の内側に配設されている構成である。
　刊行物１の発明のモータの回転出力軸の軸端に止着されたマグネット取付板とマグネット取付板に取り付けられたマグネットは、吸引力を有する部材で本願発明のマグネットと作用的に一致し、配置上からも「センタリング部材（ディスク芯出し板）」の内側に位置し、本願発明のマグネットに対応する。刊行物１の発明のマグネット取付板は、「マグネット取付板及びディスク芯出し板の外周テーパ部との相対嵌合によりディスクを芯出し状態」にあり、第２図を参照すると、マグネット取付板の外周テーパとディスク芯出し板の外周テーパが略々連続しテーパを形成しており、それぞれのテーパはディスクのセンター穴の円が嵌合する円錐面状に形成されている。
　両者は、本願発明の記述に従うと以下の発明で一致する。
「チャッキング孔を有するディスク状記録媒体が載置される載置部を有し、モータの回転軸に取り付けられるテーブル部材と、
　上記テーブル部材の上記載置部の内側に配設され、上記回転軸に取り付けられるセンタリング部材と、
　上記センタリング部材の内側に配設される吸引力を有する部材とを備え、
　上記センタリング部材の外周壁部と略々連続した円錐面状に形成された上記吸引力を有する部材を有するディスク状記録媒体の回転駆動装置。」
　
相違点
１．ディスク状記録媒体が、
　本願発明では、基板の一方の面のチャッキング孔の周囲に円環状の突部が形成されているとともに他方の面の上記チャッキング孔の周囲に凹部が形成され、上記凹部内に上記チャッキング孔を閉塞するように設けられた金属部材とを有し、ディスクカートリッジに収納されており、ディスクカートリッジの一方の面に形成された開口部からターンテーブルが挿入されて金属部材がマグネットに吸引されるのに対して、
　刊行物１の発明では、チャキング孔（センター穴）周囲が平坦に形成されたディスクはカートリッジには収納されておらず、マグネットに吸引される部材も有していない点。
　
２．吸引力を有する部材が、
　本願発明では、磁性粉体が混練された合成樹脂材料を用いて形成され、回転軸に取り付けられ、ディスク状記録媒体の突部の面から金属部材までの距離より短い距離だけテーブル部材の上面よりも突出する高さのマグネットであり、ディスクカートリッジの金属部材を吸引するのに対して、
　刊行物１の発明では、マグネットの取り付けられたマグネット取付板が回転軸に取り付けられ、マグネットとディスク押さえのマグネットと吸引し合う点。
　
［５］当審の判断
　上記相違点について判断する。
相違点１
　ディスクカートリッジに収納された、基板の一方の面のチャッキング孔の周囲に円環状の突部が形成されているとともに他方の面の上記チャッキング孔の周囲に凹部が形成され、上記凹部内に上記チャッキング孔を閉塞するように設けられた金属部材とを有し、金属部材がマグネットで吸着されて固定されるＭＤ（ミニディスク）が、ＣＤと比較されて刊行物２，３に記載されており、刊行物１の発明におけるＣＤに相当するディスクを周知の刊行物２，３に記載されたディスクとすることは、当業者が容易に推察できることと認められる。
　
相違点２
　ＣＤのクランピング方式のように、上からディスクを押さ、ターンテーブルとの間に挟み込むことができないＭＤ（ミニディスク）は、ディスクの基板自体の穴によりセンタリングすること、ディスク基板の中央につけた磁性板を装置側の磁石によりチャッキングする構成が刊行物２，３に記載されており、刊行物１の発明のマグネットの取り付けられたマグネット取付板とディスク押さえによる構成を、マグネットでディスクの金属部材を吸引するチャッキングの構成とすることは容易というものである。
　磁性粉体が混練された合成樹脂材料を用いて形成されるマグネットは周知であり、実願６０−１８１８５４号（実開昭６２−９０４７３号）のマイクロフィルム、実願昭６０−６３６９４号（実開昭６１−１８２９４４号）のマイクロフィルム等参照。前記の実願昭６０−６３６９４号（実開昭６１−１８２９４４号）のマイクロフィルムには、光ディスクプレーヤのスピンドル軸に固着されたプラスチックマグネット製のディスクテーブル部材が記載されており、金属材料のマグネットに比して、軽量かつ成形容易であるため、薄型及び小型のチャキング機構が可能である旨の記載もあり、プラスチックマグネットの成形容易である特性を利用して、刊行物１の発明におけるマグネット取付板とマグネットの構成をプラスチックマグネットで一部材に形成することは、上記周知の合成樹脂材料製を用いたマグネットとすることであり、ディスク下面がテーブル部材の載置面に隙間なく確実に載置され、金属板とマグネットの吸着力で急激に衝突しないようにマグネットの上面と金属部材の間隔を設け、しかも間隔は吸引力を減じない程度とする程度のことは、設計上必要な事項であることは容易に理解されることで、刊行物１に発明において、金属部材に衝突しないでチャッキング孔に入るマグネットの形状とすることは、当業者が容易に推考できる程度のことと認められる。
　
［６］むすび
　したがって、本願発明は、原審が示した刊行物に記載された発明に基づいて当業者が容易に発明をすることができたものと認められるので、特許法第２９条第２項の規定により特許をすることができない。　　
　よって結論のとおり審決する。